(57)【要約】【課題】  様々な素材のパネル材に幅広く適用させて汎用性を高めるとともに、ガタツキを生じたり固定強度の低下を招く不具合を回避する。大幅なコストダウンを図り、資源節減及び安全性にも寄与する。【解決手段】  取付部２ｊの上端と下端から所定の角度によりそれぞれ突出し、かつ先端に相互に向き合う係止爪部２ｕｃ，２ｄｃを有する一対の把持片部２ｕ，２ｄを板バネ材により形成した複数の把持部材２…と、この把持部材２…の取付部２ｊを長手方向に所定間隔おきに取付ける支柱４…と、パネル本体部３ｏの裏面３ｏｒに当該裏面３ｏｒの縦幅よりも短い縦幅の厚肉部３ｘを横方向に設け、かつ厚肉部３ｘの上下面３ｘｕ，３ｘｄと裏面３ｏｒ間の境に当該裏面３ｏｒに沿って形成することにより一対の係止爪部２ｕｃ，２ｄｃがそれぞれ係止可能な一対のスリット部３ｓｕ，３ｓｄを有する複数のパネル材３…とを備える。【選択図】  図１
2010126965.tif 000002
【特許請求の範囲】
【請求項１】
所定間隔おきに設置した複数の支柱により複数の横長のパネル材を上下方向に順次取付けたフェンスにおいて、取付部の上端と下端から所定の角度によりそれぞれ突出し、かつ先端に相互に向き合う係止爪部を有する一対の把持片部を板バネ材により形成した複数の把持部材と、この把持部材の取付部を長手方向に所定間隔おきに取付ける支柱と、パネル本体部の裏面に当該裏面の縦幅よりも短い縦幅の厚肉部を横方向に設け、かつ前記厚肉部の上下面と前記裏面間の境に当該裏面に沿って形成することにより前記一対の係止爪部がそれぞれ係止可能な一対のスリット部を有する複数のパネル材とを備えることを特徴とするフェンス。
【請求項２】
前記把持部材は、一枚のバネ性金属プレートを折曲して一体形成することを特徴とする請求項１記載のフェンス。
【請求項３】
前記把持部材の一対の把持片部におけるそれぞれの長さ及び／又は形状は、前記支柱に取付ける際の前記パネル材の角度に対応して同一又は非同一に形成することを特徴とする請求項１又は２記載のフェンス。
【請求項４】
前記パネル材は、リサイクル材，バージン材又はこれらの複合材を用いたプラスチック素材により一体成形することを特徴とする請求項１，２又は３記載のフェンス。
【請求項５】
前記パネル材の肉厚部における上下面は、前記一対の把持片部を押し当てた際に当該把持片部の弾性変位により前記係止爪部と前記スリット部が係止可能となり、かつ前記スリット部に前記係止爪部が係止した際には抜け止めされる形状に形成することを特徴とする請求項１〜４のいずれかに記載のフェンス。
【請求項６】
前記支柱は、前記把持部材を取付ける凹部により形成した取付面を有することを特徴とする請求項１〜５のいずれかに記載のフェンス。
【請求項７】
複数の支柱を所定間隔おきに設置し、この支柱に複数の横長のパネル材を上下方向に順次取付けるフェンスの施工方法において、取付部の上端と下端から所定の角度によりそれぞれ突出し、かつ先端に相互に向き合う係止爪部を有する一対の把持片部を板バネ材により形成した複数の把持部材を用意し、この把持部材の取付部を支柱の長手方向に所定間隔おきに取付けるとともに、パネル本体部の裏面に当該裏面の縦幅よりも短い縦幅の厚肉部を横方向に設け、かつ前記厚肉部の上下面と前記裏面間の境に当該裏面に沿って形成することにより前記一対の係止爪部がそれぞれ係止可能な一対のスリット部を有する複数のパネル材を用意し、このパネル材における前記一対のスリット部に一対の前記係止爪部をそれぞれ係止させることにより前記支柱に各パネル材を取付けることを特徴とするフェンスの施工方法。
【請求項８】
前記パネル材の肉厚部における上下面は、前記一対の把持片部を押し当てた際に当該把持片部の弾性変位により前記係止爪部と前記スリット部が係止可能となり、かつ前記スリット部に前記係止爪部が係止した際には抜け止めされる形状に形成し、前記パネル材の肉厚部を前記一対の把持片部を押し当てて前記係止爪部を前記スリット部に係止させることを特徴とする請求項７記載のフェンスの施工方法。
【請求項９】
前記把持部材の取付部は固定ネジを用いて前記支柱に取付けることを特徴とする請求項７又は８記載のフェンスの施工方法。
【発明の詳細な説明】
【技術分野】
【０００１】
本発明は、所定間隔おきに設置した支柱により複数の横長のパネル材を上下方向に順次取付けたフェンス及びその施工方法に関する。
【背景技術】
【０００２】
従来、所定間隔おきに設置した支柱により横長のパネル材を上下方向に順次取付けてなるフェンスは知られており、特許文献１には、支柱等へ固定するための側板を延出した略矩形状の取付部の前方に垂直に突出した固定具本体に一定間隔で傾斜部をそれぞれ斜設し、各傾斜部の下方側にはパネルの一端の弯曲縁を支持する四半円状の弯曲受縁がそれぞれ設けられ、各傾斜部の上方側にはパネルの他端の弯曲縁を嵌入するための溝状嵌入凹部がそれぞれ凹設され、各嵌入凹部の奥端にはパネルの弯曲縁に沿った略半円状を呈しており、傾斜部と対向する前方側にはパネルのパネル本体の弯曲縁の弯曲側と異なる本体面の巾の略半分を押さえつける押圧部が延出されているパネル固定具を用い、このパネル固定具を支柱等へ固定するとともに、このパネル固定具によりパネルを支持するフェンスが開示されている。
【特許文献１】実開平５−８６６号公報
【発明の開示】
【発明が解決しようとする課題】
【０００３】
しかし、上述した従来のフェンス（フェンスの施工方法）は、次のような問題点があった。
【０００４】
第一に、パネルの素材として金属製の弾性素材を前提としているため、木やプラスチック（合成樹脂）等の非弾性素材、特に、近時注目されている廃プラスチックのリサイクル材を用いたパネルには適用できないなど、使用できるパネルの素材が限定され、汎用性に欠ける。また、パネルの厚さ方向や幅方向の寸法に厳格性が要求され、寸法が異なる場合には、ガタツキを生じたり固定強度の低下を招くなど、柔軟適用性に欠ける。
【０００５】
第二に、使用するパネル固定具は、プラスチック等を用いた成形体として製造するとともに、複数のパネルを一体に支持する支持体として構成するため、構成が複雑となり、かつ全体のサイズも大きくなるため、大幅なコストアップを招くとともに、資源節減の観点からも好ましくない。
【０００６】
本発明は、このような背景技術に存在する課題を解決したフェンス及びその施工方法の提供を目的とするものである。
【課題を解決するための手段】
【０００７】
本発明に係るフェンス１は、上述した課題を解決するため、所定間隔おきに設置した複数の支柱により複数の横長のパネル材を上下方向に順次取付けたフェンスを構成するに際して、取付部２ｊの上端と下端から所定の角度によりそれぞれ突出し、かつ先端に相互に向き合う係止爪部２ｕｃ，２ｄｃを有する一対の把持片部２ｕ，２ｄを板バネ材により形成した複数の把持部材２…と、この把持部材２…の取付部２ｊを長手方向に所定間隔おきに取付ける支柱４…と、パネル本体部３ｏの裏面３ｏｒに当該裏面３ｏｒの縦幅よりも短い縦幅の厚肉部３ｘを横方向に設け、かつ厚肉部３ｘの上下面３ｘｕ，３ｘｄと裏面３ｏｒ間の境に当該裏面３ｏｒに沿って形成することにより一対の係止爪部２ｕｃ，２ｄｃがそれぞれ係止可能な一対のスリット部３ｓｕ，３ｓｄを有する複数のパネル材３…とを備えることを特徴とする。
【０００８】
この場合、発明の好適な態様により、把持部材２は、一枚のバネ性金属プレートＭｓを折曲して一体形成できるとともに、把持部材２の一対の把持片部２ｕ，２ｄにおけるそれぞれの長さ及び／又は形状は、支柱４に取付ける際のパネル材３の角度に対応して同一又は非同一に形成することができる。また、パネル材３は、リサイクル材，バージン材又はこれらの複合材を用いたプラスチック素材Ｍｐにより一体成形できるとともに、パネル材３の肉厚部３ｘにおける上下面３ｘｕ，３ｘｄは、一対の把持片部２ｕ，２ｄを押し当てた際に当該把持片部２ｕ，２ｄの弾性変位により係止爪部２ｕｃ，２ｄｃとスリット部３ｓｕ，３ｓｄが係止可能となり、かつスリット部３ｓｕ，３ｓｄに係止爪部２ｕｃ，２ｄｃが係止した際には抜け止めされる形状に形成することができる。さらに、支柱４には、把持部材２を取付ける凹部により形成した取付面４ｃを設けることができる。
【０００９】
一方、本発明に係るフェンスの施工方法は、上述した課題を解決するため、複数の支柱を所定間隔おきに設置し、この支柱に複数の横長のパネル材を上下方向に順次取付けるに際し、取付部２ｊの上端と下端から所定の角度によりそれぞれ突出し、かつ先端に相互に向き合う係止爪部２ｕｃ，２ｄｃを有する一対の把持片部２ｕ，２ｄを板バネ材により形成した複数の把持部材２…を用意し、この把持部材２…における取付部２ｊを支柱４の長手方向に所定間隔おきに取付けるとともに、パネル本体部３ｏの裏面３ｏｒに当該裏面３ｏｒの縦幅よりも短い縦幅の厚肉部３ｘを横方向に設け、かつ厚肉部３ｘの上下面３ｘｕ，３ｘｄと裏面３ｏｒ間の境に当該裏面３ｏｒに沿って形成することにより一対の係止爪部２ｕｃ，２ｄｃがそれぞれ係止可能な一対のスリット部３ｓｕ，３ｓｄを有する複数のパネル材３…を用意し、このパネル材３…における一対のスリット部３ｓｕ，３ｓｄに一対の係止爪部２ｕｃ，２ｄｃをそれぞれ係止させることにより支柱４に各パネル材３…を取付けるようにしたことを特徴とする。
【００１０】
この場合、発明の好適な態様により、パネル材３の肉厚部３ｘにおける上下面３ｘｕ，３ｘｄは、一対の把持片部２ｕ，２ｄを押し当てた際に当該把持片部２ｕ，２ｄの弾性変位により係止爪部２ｕｃ，２ｄｃとスリット部３ｓｕ，３ｓｄが係止可能となり、かつスリット部３ｓｕ，３ｓｄに係止爪部２ｕｃ，２ｄｃが係止した際には抜け止めされる形状に形成し、パネル材３の肉厚部３ｘを一対の把持片部２ｕ，２ｄを押し当てて係止爪部２ｕｃ，２ｄｃをスリット部３ｓｕ，３ｓｄに係止させることができる。また、把持部材２の取付部２ｊは固定ネジ５…を用いて支柱４に取付けることができる。
【発明の効果】
【００１１】
このような本発明に係るフェンス１及びその施工方法によれば、次のような顕著な効果を奏する。
【００１２】
（１）  先端に相互に向き合う係止爪部２ｕｃ，２ｄｃを有する一対の把持片部２ｕ，２ｄを板バネ材により形成した複数の把持部材２…によりパネル材３を把持するようにしたため、木やプラスチック等の非弾性素材をはじめ、様々な素材を用いたパネル材３に幅広く適用でき、特に、廃プラスチックのリサイクル材を用いたパネル材３にも適用できるなど、汎用性に優れる。
【００１３】
（２）  パネル材３（パネル本体部３ｏ）の厚さ方向や縦幅方向の寸法に厳格性が要求されないため、寸法にバラツキがあるような場合であってもガタツキを生じたり固定強度の低下を招く不具合を回避できすることができ、柔軟適用性に優れる。特に、リサイクル材等のプラスチックにより一体成形したパネル材３は、歪みや伸縮を生じやすいが、このような寸法上の不安定要素も吸収することができる。
【００１４】
（３）  把持部材２…は、比較的単純な構成（形状）により製造することができ、しかも、全体のサイズも比較的小さくて済むため、大幅なコストダウンを図れるとともに、資源節減にも寄与できる。
【００１５】
（４）  板バネ材により形成した一対の把持片部２ｕ，２ｄを有する複数の把持部材２…によりパネル材３を把持するため、例えば、公園や広場等のフェンス１として設置した際に子供が衝突しても一定の衝撃吸収作用を有するため、安全性にも寄与できる。
【００１６】
（５）  好適な態様により、把持部材２を、一枚のバネ性金属プレートＭｓを折曲して一体形成すれば、一枚のプレート材からポンチ加工及び折曲加工などにより極めて容易に製造することができる。
【００１７】
（６）  好適な態様により、把持部材２の一対の把持片部２ｕ，２ｄにおけるそれぞれの長さ及び／又は形状を、支柱４に取付ける際のパネル材３の角度に対応して同一又は非同一に形成すれば、複数のパネル材３…を同一平面上に平行に配する一般的なフェンスとして構成したり、複数のパネル材３…を支柱４（垂直面）に対して所定の角度で傾斜させて目隠用のフェンスとして構成するなど、パネル材３…の角度を変更した様々なタイプのフェンスを容易に施工できる。
【００１８】
（７）  好適な態様により、パネル材３を、リサイクル材，バージン材又はこれらの複合材を用いたプラスチック素材Ｍｐにより一体成形すれば、リサイクル材の有効な利用促進に寄与できる。
【００１９】
（８）  好適な態様により、パネル材３の肉厚部３ｘにおける上下面３ｘｕ，３ｘｄを、一対の把持片部２ｕ，２ｄを押し当てた際に当該把持片部２ｕ，２ｄの弾性変位により係止爪部２ｕｃ，２ｄｃとスリット部３ｓｕ，３ｓｄが係止可能となり、かつスリット部３ｓｕ，３ｓｄに係止爪部２ｕｃ，２ｄｃが係止した際には抜け止めされる形状に形成すれば、パネル材３…を支柱４に取付ける際の施工作業をより容易化することができる。
【００２０】
（９）  好適な態様により、支柱４に、把持部材２を取付ける凹部により形成した取付面４ｃを設ければ、パネル材３…と支柱４間の見掛上の隙間を小さくできるため、外観形状性及び商品性の向上に寄与できる。
【００２１】
（１０）  好適な態様により、把持部材２の取付部２ｊを、固定ネジ５…を用いて支柱４に取付けるようにすれば、既に設置されている支柱４を含む様々な素材及び形状により形成されている支柱４にも容易に取付けることができる。
【発明を実施するための最良の形態】
【００２２】
次に、本発明に係る最良の実施形態を挙げ、図面に基づき詳細に説明する。
【００２３】
まず、本実施形態に係るフェンス１の構成部材（構成部品）について、図１〜図４（図６）を参照して説明する。
【００２４】
フェンス１は、所定間隔おきに設置する複数の支柱４…と、この支柱４…の長手方向に所定間隔おきに取付ける複数の把持部材２…と、この把持部材２…に把持される複数のパネル材３…により構成する。
【００２５】
支柱４は、図１（図６）に示すように、一本の棒材（角棒）であり、例示の支柱４は、素材としてアルミニウム材を用いた断面正方形の中空角棒である。屋外に設置するフェンス１の場合には、正方形断面の一辺が５〔ｃｍ〕前後、長さが１〜２〔ｍ〕程度を想定できる。
【００２６】
把持部材２は、図３及び図４に示すように、一枚のバネ性金属プレートＭｓを折曲して一体形成する。バネ性金属プレートＭｓとしては、ステンレス材を用いたバネ性プレートが望ましい。把持部材２は、中間部分を構成する取付部２ｊを有し、この取付部２ｊには、後述する固定ネジ５…が挿通する二つのネジ挿通孔１１…を形成する。また、取付部２ｊの上端と下端から所定の角度によりそれぞれ突出した上下一対の把持片部２ｕ，２ｄを有し、この把持片部２ｕ，２ｄの先端には相互に向き合う係止爪部２ｕｃ，２ｄｃを折曲形成する。この場合、図４に示すように、取付部２ｊから突出する把持片部２ｕ，２ｄの突出長は同一に選定し、取付部２ｊから折曲する把持片部２ｕ，２ｄの折曲角度Ｒｓは、いずれも６０〜７０〔゜〕程度に選定するとともに、把持片部２ｕ，２ｄにおける係止爪部２ｕｃ，２ｄｃの折曲角度Ｒｔは、いずれも８０〜９０〔゜〕程度に選定することが望ましい。係止爪部２ｕｃ，２ｄｃは、図３に示すように、先端の両側を丸みを有するアール形状に形成する。把持部材２を、このような一枚のバネ性金属プレートＭｓを折曲して一体形成すれば、一枚のプレート材からポンチ加工及び折曲加工などにより極めて容易に製造することができる。
【００２７】
パネル材３は、図２及び図４に示すように、プラスチック素材Ｍｐにより一体成形する。プラスチック素材Ｍｐには、廃プラスチック（１００〔％〕）のリサイクル材を用いることが望ましい。このようなリサイクル材によるパネル材３としては、例えば、廃棄されるポリスチレン製の食器トレイ等を溶解するとともに、発泡剤等の添加剤を加えた材料を、押出成形により製造するパネル材３を利用できる。このようなリサイクル材によるパネル材３を利用すれば、リサイクル材の有効な利用促進に寄与できる。もちろん材料としては、リサイクル材を含まないバージン材であってもよいし、リサイクル材とバージン材を混合した複合材であってもよい。
【００２８】
パネル材３は、図４（図１）に示すように、断面形状は、前側（表側）を構成する矩形部分をなすパネル本体部３ｏと、後側（裏側）を構成する厚肉部３ｘを有する。厚肉部３ｘは、パネル本体部３ｏの裏面３ｏｒに当該裏面３ｏｒの縦幅よりも短い縦幅を有し、パネル本体部３ｏの横方向に沿って設けるとともに、この厚肉部３ｘの上面３ｘｕ，下面３ｘｄと裏面３ｏｒ間の境には当該裏面３ｏｒに沿って、上下一対のスリット部３ｓｕ，３ｓｄを設ける。各スリット部３ｓｕ，３ｓｄには一対の係止爪部２ｕｃ，２ｄｃをそれぞれ係止させることができる。また、肉厚部３ｘにおける上面３ｘｕ，下面３ｘｄは、一対の把持片部２ｕ，２ｄを押し当てた際に当該把持片部２ｕ，２ｄの弾性変位により係止爪部２ｕｃ，２ｄｃとスリット部３ｓｕ，３ｓｄが係止可能となり、かつ各スリット部３ｓｕ，３ｓｄに各係止爪部２ｕｃ，２ｄｃがそれぞれ係止した際には抜け止めされる形状に形成する。したがって、例示の場合には、上面３ｘｕ，下面３ｘｄを、図４に示すように、曲面形成している。
【００２９】
次に、このような構成部材（構成部品）を用いた本実施形態に係るフェンス１の施工方法について、図１〜図６を参照して説明する。
【００３０】
まず、複数の把持部材２…を用意し、この把持部材２…の取付部２ｊを、図１に示すように、支柱４の長手方向に所定間隔おきに取付ける。この場合、支柱４にネジ取付孔を形成し、図４に示すように、固定ネジ５を、取付部２ｊのネジ挿通孔１１に挿通させ、支柱４のネジ取付孔にネジ込む。この際、一つの把持部材２は二つのネジ挿通孔１１…を有するため、二個所を二本の固定ネジ５…により固定する。このような把持部材２…を取付けた支柱４…を使用本数だけ用意する。このように、把持部材２の取付部２ｊを、固定ネジ５…を用いて支柱４に取付けるようにすれば、既に設置されている支柱４を含む様々な素材及び形状により形成されている支柱４にも容易に取付けることができる。そして、図６に示すように、各支柱４…を地面Ｇに設置する。この際、各支柱４…は地面Ｇから上方へ鉛直に起立させるとともに、所定間隔おきに設置する。
【００３１】
一方、複数のパネル材３…を用意し、このパネル材３…における一対のスリット部３ｓｕ，３ｓｄに一対の係止爪部２ｕｃ，２ｄｃをそれぞれ係止させることにより、図１に示すように、支柱４に各パネル材３…を取付ける。取付けるに際しては、図５に示すように、予め、パネル材３における下側のスリット部３ｓｄを、把持部材２における下側の係止爪部２ｄｃに係止させ、この後、肉厚部３ｘの上面３ｘｕを、上側の係止爪部２ｕｃに押し当てれば、上側の係止爪部２ｕｃは、上面３ｘｕに沿って弾性変位し、最終的に、図１に示すように、係止爪部２ｕｃがスリット部３ｓｕに係止する。一対の係止爪部２ｕｃ，２ｄｃがスリット部３ｓｕ，３ｓｄに係止すれば、上面３ｘｕ，下面３ｘｄの形状により、係止爪部２ｕｃ，２ｄｃが抜け止めされる。したがって、パネル材３は把持部材２により把持され、パネル材３は把持部材２を介して支柱４に取付けられる。
【００３２】
このように、本実施形態に係るフェンス１は極めて容易に施工することができるとともに、特に、パネル材３の肉厚部３ｘにおける上下面３ｘｕ，３ｘｄを、一対の把持片部２ｕ，２ｄを押し当てた際に当該把持片部２ｕ，２ｄの弾性変位により係止爪部２ｕｃ，２ｄｃとスリット部３ｓｕ，３ｓｄが係止可能となり、かつスリット部３ｓｕ，３ｓｄに係止爪部２ｕｃ，２ｄｃが係止した際には抜け止めされる形状に形成したため、パネル材３…を支柱４に取付ける際の施工作業をより容易化することができる。この後、同様に、必要枚数のパネル材３…を、支柱４…に対して順次取付けを行えば、フェンス１の施工は終了する。図６は、このように施工された本実施形態に係るフェンス１（裏面側）の斜視図を示す。施工されたフェンス１において、パネル材３を支柱４から離す方向に引張っても容易に離脱することはない。パネル材３を支柱４から離脱する場合には、治具等により把持片部２ｕ又は２ｄの一方を強制的に変位させることにより、係止爪部２ｕｃ又は２ｄｃをスリット部３ｓｕ又は３ｓｄから離脱させればよい。したがって、パネル材３が破損したような場合であっても新しいパネル材３と容易に交換することができる。
【００３３】
このような本実施形態に係るフェンス１及びその施工方法によれば、先端に相互に向き合う係止爪部２ｕｃ，２ｄｃを有する一対の把持片部２ｕ，２ｄを板バネ材により形成した複数の把持部材２…によりパネル材３を把持するようにしたため、木やプラスチック等の非弾性素材をはじめ、様々な素材を用いたパネル材３に幅広く適用でき、特に、廃プラスチックのリサイクル材を用いたパネル材３にも適用できるなど、汎用性に優れる。また、パネル材３（パネル本体部３ｏ）の厚さ方向や縦幅方向の寸法に厳格性が要求されないため、寸法にバラツキがあるような場合であってもガタツキを生じたり固定強度の低下を招く不具合を回避できすることができ、柔軟適用性に優れる。特に、リサイクル材等のプラスチックにより一体成形したパネル材３は、歪みや伸縮を生じやすいが、このような寸法上の不安定要素も吸収することができる。さらに、把持部材２…は、比較的単純な構成（形状）により製造することができ、しかも、全体のサイズも比較的小さくて済むため、大幅なコストダウンを図れるとともに、資源節減にも寄与できる。加えて、板バネ材により形成した一対の把持片部２ｕ，２ｄを有する複数の把持部材２…によりパネル材３を把持するため、例えば、公園や広場等のフェンス１として設置した際に子供が衝突しても一定の衝撃吸収作用を有するため、安全性にも寄与できる。
【００３４】
次に、本発明の変更実施形態に係るフェンス１について、図７及び図８を参照して説明する。
【００３５】
図７は、把持部材２における一対の把持片部２ｕ，２ｄにおけるそれぞれの長さ及び／又は形状を、支柱４に取付ける際のパネル材３の角度に対応して非同一に形成したものであり、図１の実施形態に対して、下側の把持片部２ｄの長さを上側の把持片部２ｕの長さよりも長くし、かつ段差部２ｄｂを介して形成した。したがって、図１に示した実施形態の場合、複数のパネル材３…を同一平面上に平行に配する一般的なフェンスとして構成できるが、図７に示す変更実施形態では、複数のパネル材３…を支柱４（垂直面）に対して所定の角度で傾斜させた目隠用のフェンスとして構成できる。このように、把持部材２の簡単な変更により、パネル材３…の角度を変更した様々なタイプのフェンスを容易に施工できる。
【００３６】
図８は、支柱４に、把持部材２を取付ける凹部により形成した取付面４ｃを設けたものである。したがって、図８の変更実施形態では、パネル材３…と支柱４間の見掛上の隙間Ｓを小さくできるため、外観形状性及び商品性の向上に寄与できる。なお、図７及び図８において、図１〜図６と同一部分には同一符号を付してその構成を明確にするとともに、その詳細な説明は省略する。
【００３７】
以上、最良の実施形態（変更実施形態）について詳細に説明したが、本発明は、このような実施形態に限定されるものではなく、細部の構成，形状，素材，数量，数値等において、本発明の要旨を逸脱しない範囲で、任意に変更，追加，削除することができる。
【００３８】
例えば、支柱４は、地面（土に限定されない）Ｇに設置するポールを例示したが、家屋の窓（壁）に付設するステーなどであってもよく、支柱４を設置する対象は任意である。したがって、明細書に記載する上下や縦横の方向は、支柱４とパネル材３などの相対的な方向（位置関係）を示すものであり、例えば、支柱４を横に設置する場合、パネル材３は縦となる。また、上下や縦横の方向は直角関係を示すものではなく、傾斜した関係であってもよい。なお、パネル材３を鉛直方向或いは鉛直方向に傾斜して設置する場合には、少なくとも一本のネジをパネル材３の裏面にネジ込み、このネジを把持部材２に係止させて落下防止を図ればよい。その他、支柱４の素材としてアルミニウム材を例示したが、木，プラスチック，他の金属素材など、任意の素材を適用できる。また、把持部材２を構成する板バネ材としてバネ性金属プレートＭｓを例示したが、用途によってはプラスチック材等の他の素材を用いることができる。さらに、パネル材３としてプラスチック素材Ｍｐを例示したが、要は断面の外郭形状を図４に示すような形状にすればよいため、木，セラミックス，金属プレート等の使用も可能である。他方、把持部材２の取付部２ｊは固定ネジ５…を用いて支柱４に取付ける場合を例示したが、例えば、予め支柱４に取付部２ｊを溶接するなど、その取付手段は任意である。
【図面の簡単な説明】
【００３９】
【図１】本発明の最良の実施形態に係る一部抽出拡大断面図を含むフェンスの一部側面図、
【図２】同フェンスの一部正面図、
【図３】同フェンスに用いる把持部材の斜視図、
【図４】同フェンスに用いるパネル材及び把持部材の側面図、
【図５】同フェンスの施工方法の作用説明図、
【図６】同フェンスの全体斜視図、
【図７】本発明の変更実施形態に係るフェンスに用いる把持部材の一部側面図、
【図８】本発明の他の変更実施形態に係るフェンスに用いる支柱の一部平面図、
【符号の説明】
【００４０】
１：フェンス，２…：把持部材，２ｊ：取付部，２ｕ：把持片部，２ｄ：把持片部，２ｕｃ：係止爪部，２ｄｃ：係止爪部，３…：パネル材，３ｏ：パネル本体部，３ｏｒ：パネル本体部の裏面，３ｘ：厚肉部，３ｘｕ：厚肉部の上面，３ｘｄ：厚肉部の下面，３ｓｕ：スリット部，３ｓｄ：スリット部，４…：支柱，４ｃ：取付面，５…：固定ネジ，Ｍｓ：バネ性金属プレート，Ｍｐ：プラスチック素材
【図１】
2010126965.tif 000003
【図２】
2010126965.tif 000004
【図３】
2010126965.tif 000005
【図４】
2010126965.tif 000006
【図５】
2010126965.tif 000007
【図６】
2010126965.tif 000008
【図７】
2010126965.tif 000009
【図８】
2010126965.tif 000010